(57)【特許請求の範囲】
【請求項１】
先端に沈下発信装置を装着した沈下板を有するコーンを地中に差し込み、該コーンを引き抜く際にアンカーをセットして前記沈下発信装置及び前記沈下板を前記地中に定着させ、地上に沈下計測装置を配置し、前記沈下発信装置と前記沈下計測装置との間の通信に基づいて、前記沈下板の沈下量を求める地中における沈下計測方法であって、将棋の逆駒状の沈下板の先端の中央部の一箇所に枢支されるアンカーを配置し、前記コーンを引き抜く際に前記アンカーを前記沈下板の先端の中央部を中心にして両開きにしてセットして前記沈下発信装置及び前記沈下板を前記地中に定着させることを特徴とする地中における沈下計測方法。
【請求項２】
請求項１記載の地中における沈下計測方法において、前記沈下計測装置は、プローブ電波を発信するプローブ電波発信器と、計測電波発信器からの計測電波を受信する計測電波受信器と、データ処理装置と、データ記憶装置とを備え、前記沈下発信装置は前記プローブ電波により駆動する電子スイッチと、該電子スイッチがオンされると前記計測電波を発信する前記計測電波発信器とを備え、前記沈下計測装置と前記沈下発信装置との間の通信は、前記沈下計測装置のプローブ電波発信器からのプローブ電波により、前記沈下発信装置の電子スイッチを駆動して前記計測電波発信器から計測電波を発信させ、該発信された計測電波を前記沈下計測装置の前記計測電波受信器により受信し、前記沈下板の地中での位置を計測し、この計測データを前記データ処理装置を介して前記データ記憶装置に記憶することを特徴とする地中における沈下計測方法。
【発明の詳細な説明】
【技術分野】
【０００１】
本発明は、計測対象層の沈下を計測する地中における沈下計測方法に関するものである。
【背景技術】
【０００２】
従来の沈下計は、計測対象層ごとに沈下板を設置し、その沈下板の位置の変化をロッドを通じて測定するようにしている（下記非特許文献１，２参照）。
また、測距光を用いて測定対象物までの距離と被測定面の傾斜を広範囲にわたって判定できる携帯型測距装置が開発されている（下記特許文献１参照）。
【先行技術文献】
【特許文献】
【０００３】
【特許文献１】特開２００８−２８１３７９号公報
【非特許文献】
【０００４】
【非特許文献１】株式会社東京測器研究所パンフレット，「多段式傾斜計」，ｐｐ．２４３〜２４４，「層別沈下計」，ｐｐ．２６４
【非特許文献２】共和技報，Ｎｏ．４９４，「傾斜測定」，ｐｐ．８−１３〜８−１４
【発明の概要】
【発明が解決しようとする課題】
【０００５】
しかしながら、従来の沈下計は、ボーリング孔を設置して沈下板などを取り付ける必要があり、経費が嵩むとともに、設置に時間がかかるといった問題があった。
また、測距光を用いて測定対象物までの距離を計測する場合には、大がかりな構成となり、費用が嵩むといった問題があった。
本発明は、上記状況に鑑みて、簡単に設置することができ、費用が低減できるとともに、沈下板の位置の変化を容易に計測することができる、地中における沈下計測方法を提供することを目的とする。
【課題を解決するための手段】
【０００６】
本発明は、上記目的を達成するために、
〔１〕地中における沈下計測方法において、先端に沈下発信装置を装着した沈下板を有するコーンを地中に差し込み、このコーンを引き抜く際にアンカーをセットして前記沈下発信装置及び前記沈下板を前記地中に定着させ、地上に沈下計測装置を配置し、前記沈下発信装置と前記沈下計測装置との間の通信に基づいて、前記沈下板の沈下量を求める地中における沈下計測方法であって、将棋の逆駒状の沈下板の先端の中央部の一箇所に枢支されるアンカーを配置し、前記コーンを引き抜く際に前記アンカーを前記沈下板の先端の中央部を中心にして両開きにしてセットして前記沈下発信装置及び前記沈下板を前記地中に定着させることを特徴とする。
【０００７】
〔２〕上記〔１〕記載の地中における沈下計測方法において、前記沈下計測装置はプローブ電波を発信するプローブ電波発信器と、計測電波発信器からの計測電波を受信する計測電波受信器と、データ処理装置と、データ記憶装置とを備え、前記沈下発信装置は、前記プローブ電波により駆動する電子スイッチと、この電子スイッチがオンされると前記計測電波を発信する前記計測電波発信器とを備え、前記沈下計測装置と前記沈下発信装置との間の通信は、前記沈下計測装置のプローブ電波発信器からのプローブ電波により、前記沈下発信装置の電子スイッチを駆動して前記計測電波発信器から計測電波を発信させ、この発信された計測電波を前記沈下計測装置の前記計測電波受信器により受信し、前記沈下板の地中での位置を計測し、この計測データを前記データ処理装置を介して前記データ記憶装置に記憶することを特徴とする。
【発明の効果】
【０００８】
従来はボーリング孔の設置や処理、計器の設置に時間や費用がかかったが、本発明によれば、地中における沈下計測装置の設置を容易にし、データの処理の大幅な短縮を図ることができる。
【図面の簡単な説明】
【０００９】
【図１】本発明の参考例を示す沈下計測方法の概略工程図である。
【図２】本発明の実施例を示す沈下計測装置及び沈下発信装置の構成図である。
【図３】本発明の実施例を示す沈下計測装置及び沈下発信装置を用いた沈下板の沈下量計測のフローチャートである。
【図４】本発明の実施例を示す地中でのアンカーによる沈下板の定着の説明図である。
【発明を実施するための形態】
【００１０】
本発明の地中における沈下計測方法は、先端に沈下発信装置を装着した沈下板を有するコーンを地中に差し込み、このコーンを引き抜く際にアンカーをセットして前記沈下発信装置及び前記沈下板を前記地中に定着させ、地上に沈下計測装置を配置し、前記沈下発信装置と前記沈下計測装置との間の通信に基づいて、前記沈下板の沈下量を求める地中における沈下計測方法であって、将棋の逆駒状の沈下板の先端の中央部の一箇所に枢支されるアンカーを配置し、前記コーンを引き抜く際に前記アンカーを前記沈下板の先端の中央部を中心にして両開きにしてセットして前記沈下発信装置及び前記沈下板を前記地中に定着させる。
【実施例】
【００１１】
以下、本発明の実施の形態について詳細に説明する。
図１は本発明の参考例を示す沈下計測方法の概略工程図である。
まず、概要を説明すると、
（Ａ）まず、図１（ａ）に示すように、沈下発信装置３を装着した沈下板４を有するコーン２を、サウンディングマシン（図示なし）を用いて地中１に差し込む。
【００１２】
（Ｂ）次に、図１（ｂ）に示すように、沈下板４を地中１に残してコーン２を引き抜く際に、アンカー５をセットして、沈下発信装置３及び沈下板４を地中１に定着させる。
（Ｃ）次に、図１（ｃ）に示すように、地上に配置される沈下計測装置６と沈下板４の沈下発信装置３との間で通信を行い、沈下板４の位置を求め、沈下板４の沈下量を求める。
【００１３】
なお、ここで、沈下板４は、地中の所望の位置である計測対象層（図示なし）に配置することができることは言うまでもない。
図２は本発明の実施例を示す沈下計測装置と沈下発信装置の構成図、図３はそれを用いた沈下板の沈下量の計測フローチャートである。
図２に示すように、沈下計測装置６は、プローブ電波を発信するプローブ電波発信器６Ａと、沈下発信装置３の計測電波発信器３Ｂからの計測電波を受信する計測電波受信器６Ｂと、データ処理装置７と、データ記憶装置８とを備えている。沈下発信装置３は、沈下計測装置６のプローブ電波発信器６Ａからのプローブ電波により駆動する電子スイッチ３Ａと、この電子スイッチ３Ａがオンにされると計測電波を発信する計測電波発信器３Ｂとを備えている。
【００１４】
沈下計測装置６と沈下発信装置３との間の通信では、沈下計測装置６のプローブ電波発信器６Ａからのプローブ電波により、沈下発信装置３の電子スイッチ３Ａを駆動して計測電波発信器３Ｂから計測電波を発信させる。この発信された計測電波を沈下計測装置６の計測電波受信器６Ｂにより受信し、沈下板４の地中での位置を計測し、データ処理装置７を介してデータ記憶装置８に記憶する。
【００１５】
このように構成したので、沈下発信装置３からはプローブ電波発信器６Ａからのプローブ電波により、沈下発信装置３の電子スイッチ３Ａが駆動されたときにのみ沈下発信装置３が動作するので、沈下発信装置３の電力消費を低減できると同時に、測定をしない際は、沈下発信装置３からの電波の発信は行われないので、不要な電波を発信することによる電波障害を防止することができる。
【００１６】
ここで、図１及び図３に基づいて沈下計測手順について説明する。
（１）まず、上記した図１（ａ）〜図１（ｂ）を実施して、地中に沈下発信装置３及び沈下板４を設置する（ステップＳ１〜Ｓ２）。
（２）次に、地上に沈下計測装置６をセットする（ステップＳ３）。
次いで、図１（ｃ）及び図２に示すように、地上に配置される沈下計測装置６と地中に設置される沈下発信装置３との間の上記した通信により以下のようにして沈下板４の沈下量を求める。
【００１７】
（３）図２で説明した沈下計測装置６と沈下発信装置３の間の通信により、設置時における沈下板４の地中１での位置を計測し、データ処理装置７を介してデータ記憶装置８に基準値８Ａとして記憶する（ステップＳ４）。
（４）同様に、計測時点における沈下板４の地中１での位置を計測し、データ処理装置７を介してデータ記憶装置８に計測値８Ｂとして記憶する（ステップＳ５）。
【００１８】
（５）次に、基準値８Ａと計測値８Ｂとをデータ処理装置７により比較し演算を行い、沈下板４の沈下量８Ｃを求める（ステップＳ６）。
図４は本発明の実施例を示す地中でのアンカーによる沈下板の定着の説明図である。
図４（ａ）に示すように、沈下板４の底部には、引き抜け抵抗部材からなるアンカー１１を設け、沈下板４を有するコーンを地中１に差し込んだ後、コーンを引き抜く段階でアンカー１１が上方に引っ張られることにより、図４（ｂ）に示すように、アンカー１１が開いて沈下板４を地中１に定着させるように構成する。
【００１９】
また、コーンを引き抜く段階で水圧によってアンカー１１を地中１に定着させるように構成してもよい。
なお、本発明は上記実施例に限定されるものではなく、本発明の趣旨に基づき種々の変形が可能であり、これらを本発明の範囲から排除するものではない。
【産業上の利用可能性】
【００２０】
本発明の地中における沈下計測方法は、簡単に設置することができ、沈下板の位置の変化を容易に計測することができる、地中における沈下計測方法及びその装置として利用可能である。
【符号の説明】
【００２１】
１    地中
２    コーン
３    沈下発信装置
３Ａ    電子スイッチ
３Ｂ    計測電波発信器
４    沈下板
５，１１    アンカー
６    沈下計測装置
６Ａ    プローブ電波発信器
６Ｂ    計測電波受信器
７    データ処理装置
８    データ記憶装置
８Ａ    基準値
８Ｂ    計測値
８Ｃ    沈下量
【図１】
0005474578.tif 000002
【図２】
0005474578.tif 000003
【図３】
0005474578.tif 000004
【図４】
0005474578.tif 000005